(57)【要約】      （修正有）【課題】本考案は１つの帽子を組み合わせ式にして且つデザイン的にはカモノハシ風でありスポーティとドレッシーの両雰囲気を持ちツバとタレとリボンの各操作で変型自在となり戸外室内両用として多機能を発揮する婦人帽とすることである。【解決手段】本考案は帽子本体をキルト地、デニム地、麻などを用いタック加工し１部にレースを施し縫い合わせ、前部に短いタレ、後部に長いタレを発生させ、更にリボン結びも８通り以上となる様にし、別仕立のツバを硬めのステッチ仕上げとし、更にツバを付けるボタンを２ヶ所にした事でツバも上下に変化し上述の如く作成した事により、帽子本体とツバの組み合わせは着用時にカモノハシ風に見えスポーティとドレッシーの両雰囲気を持ちユニークで且つ変型自在の多機能婦人帽となり上述の全課題をクリアーするものである。【選択図】図１０
0003101531.tif 000002
【実用新案登録請求の範囲】
【請求項１】
本考案は組み合わせ式婦人帽である為帽子本体Ａと別仕立のツバＢとは分けて縫製しＡはキルト地、デニム地、麻などを用い必ず縫う前に縦横・斜めあるいは併用型のタックを５〜１５本位入れ１ヶ所のみレースを任意に施した１枚の生地を用い裁ち２つ折りにし縫い合わせるがこの時前部は底辺から５ｃｍ上、後部は１５ｃｍ上の所で縫い止めると前部に短いタレ、後部は長いタレが発生し又前中央から頭鉢に添わせた巾５〜２０ｃｍ、長さ２００ｃｍ前後のリボンを後ろの長いタレに付け更に上部の２ヶ所づつにステッチがけの１つは直径０．５ｃｍの丸型、他は長さ３．５ｃｍの直線型の通気孔を両面合わせ４ヶ所設け更にツバを付ける為のボタンを１つは頭鉢の中心線上で底辺から１２ｃｍ上の位置他は中心線よりやや後ろで底辺から５ｃｍ上の２ヶ所に付けツバが上下に動く様に仕立てる帽子本体。
【請求項２】
別仕立のＢはＡと同質か同種の色違い等の生地にタック無しで表と裏地の２枚仕立てで紙・ボール紙・プラスチックス等は間に入れず裁ち縫い合わせ、ツバ部分を硬めのステッチ仕上げとしＡとＢを重ねて組み合わせると、着用した時にカモノハシ風になる婦人帽のツバ部分。
【考案の詳細な説明】
【技術分野】
【０００１】  本考案は帽子の本体用生地に縦・横・斜めあるいは併用型のタック縫いと１ヶ所にレースを施し加工した１枚の布を裁ち２つ折りにし前後それぞれカーブ縫いし、前タレと後ろタレを発生させ前中央から頭鉢に添わせた長いリボンを後ろのタレに付け又上部の左右２ヶ所づつにステッチがけの丸型と直線型の通気孔を設け更に帽子本体の中心線上とやや後ろの上下２ヶ所両面で４ヶ所にボタンを付け作成したものに別仕立てで自在に変化させるカモノハシ風ツバを取り付け・取りはずしを可能にした組み合わせ式カモノハシ風変型自在多機能婦人帽に関するものである。
【背景技術】
【０００２】  従来型の婦人帽は戸外用と室内用又はスポーティとドレッシーの区別がはっきりしており温暖化による急激な環境変化に対応するのが難しくなっている。夏のみならず春秋冬１年を通して強い日射し、紫外線から目や顔を守る必要があり、広ツバ帽子は外出に欠かせない今日である。１方建物の中特にビルやホテルの中などに入るとそこは別世界であり戸外用の広ツバ帽子はマナー違反となる。又人混みや電車・バスの中では他人の迷惑となる事が多い。しかし女性は一旦帽子をかぶって外出するとヘアースタイルが気になりなかなか脱ぎにくいものである。
【考案の開示】
【考案が解決しようとする課題】
【０００３】  １つの帽子で外出時にはツバ付きとなり前方と左右の視界をさえぎる事なく強い紫外線から目や顔を守り頭部や首まわりのムレを防ぎ強風からも耳や首まわりを守り頭に固定し変化しながら暖寒に素早く対応し建物の中に入ればツバを取りはずし室内用としても客観視に耐え且つスポーティとドレッシーを兼ね備えたユニークで新しい感覚の帽子を作成しようとする物である。
【課題を解決するための手段】
【０００４】  本考案は帽子本体ＡとツバＢをそれぞれ別仕立とし組み合わせ式に作成するものでありＡは素材をカジュアル性の高いキルト地、デニム地、麻などを用い縦・横・斜めあるいは併用型のタック縫い５〜１５本位を入れ更にタックの間に１ヶ所のみでサイズは任意のレースを施し加工した物を１枚仕立てとしこれを図１の通りに裁ち図２の通り２つ折りにし前部は（１）から（５）へ後部は（２）から（８）へカーブしながら縫う。この結果前部に短いタレ（６）後部に長いタレ（７）ができる。（６）（７）共にミシンステッチを入れるが（６）は強め、（７）はゆるめにし（６）のみにはステッチの代わりにレースを施しても良い。（注・強めとはステッチ間を詰めて細かく、ゆるめはその逆）次にＡに付けるリボンＣについては素材は特に限定しないがＣが着用時のデザインの変化に大きな効果を持つ事から素材・色・柄がＡとのバランス上美的効果を十分発揮できる様な物を選び取り付ける。サイズは巾５〜２０ｃｍ位長さは２００ｃｍ前後の物とし取り付け方はＣの長さの中心を図２の（３）で前縫い止まり（５）から５ｃｍ上の所に付けＡの頭鉢に添わせながら左右に振り分け（１３）の位置で（７）の外カーブ及び底辺から５ｃｍ入った所に糸で付けあとは垂らしておく。Ａには更に図２の通り片面に２ヶ所、両面で４ヶ所通気孔を必ず施しておく。１つは直径０．５ｃｍの丸型・図２の（９）他は３．５ｃｍの直線型・図２の（１０）でいづれもステッチ仕上げとし位置は特に限定しないが図２の様にする．生地の柄やタックの入れ方で位置は変えても良い。又ツバＢを取り付ける為に図２の（４）の位置にマジックテープを縫い付け両サイドの（１１）と（１２）の各２ヶ所両面合わせて４ヶ所にボタンを付ける。（１１）は底辺から１２ｃｍ上の所、（１２）は底辺から５ｃｍ上の所としこれらのボタン２ヶ所によってツバＢが上下に変化する。ボタンの素材・色・型については特に限定しないが美的にバランスの良い物とする。（１１）はＡの中心線上（１２）はやや後ろ。
前ツバＢについては素材はＡと同質の生地か同種の色違いなどにしても良く、タックは入れず表と裏地の２枚仕立てとし、それらの間に紙・ボール紙プラスチックスなどを入れて作成しない。Ｂは図３の通り裁ち重ねた２枚の生地のまわりをミシンで縫い合わせ細かいステッチで且つステッチ間も詰めて硬めのツバになる様に仕上げ手で変化がつけられ且つ型がそのまま止まる様に縫製する。ここがポイントである。デザイン的にはＢの中心山から左右にやや下げながら図４の様にツバにふくらみを持たせる様に仕上げる。図３の通り両サイドの端から３ｃｍ入った位置（２６）と（２７）にステッチ仕上げのボタンホールを入れる。サイズは付けるボタンに合わせる。更に図３の（１７）にもマジックテープを縫い付ける。上述の全ての数字はＭサイズ用。
【考案の効果】
【０００５】  上述の様に本考案の組み合わせ式カモノハシ風変型自在多機能婦人帽は１つの帽子を帽子本体とツバを別仕立とした事で必要に応じてツバを取り付け・取りはずしが可能になり又組み合わせて着用すると丁度カモノハシ風でユニークであり更に縫製的にもタック入りの１部レース施しに加えて頭鉢の周囲にぐるりと回して垂れさせた長いリボンがドレッシーでその操作により後部のタレ先を上下に自由に変化させ更にツバ自体のステッチ加工による変化のみならずツバの組み合わせも重なる様にしてあり更に２ヶ所のボタンに付け変え可能にしツバも上下に変化するのでこれらの操作はデザインの変化のみならず多機能で戸外用、室内用、スポーティ、ドレッシーいずれにも素早く対応ができるものである。
【考案の実施するための最良の形態】
【０００６】  本考案は１つの帽子を帽子本体ＡとツバＢとの別仕立てで組み合わせ式にした事で着用法はツバ付きとツバ無しの２通りに分けられるがまずＡとＢの組み合わせについてはＡにＢを重なる様に前部をマジックテープで互いに合わせ更にＡにＢのベルト部分をボタンで付ける。ツバを下にしたい時は（１１）に、水平型にしたい時は（１２）に付ければ良い。又ツバも硬めに仕上げてあるのでツバ自体も手で型を作れる。次にリボンの操作によるタレの上げ下げとリボンの結び方はツバ付き、ツバ無し両用共通のものとなり以下に示す通り最低それぞれ４通り、計８通りあり他にも工夫次第でいくつかの変わったリボン結びが楽しめる。これらは添付図面の図５から図１６までとして記載するものである。
【実施例】
【０００７】  本考案の実施例は添付図面の図５から図１６とした。
【図面の簡単な説明】
【０００８】
【図１】  本考案の帽子本体Ａの平面図である。
【図２】  Ａの側面図である。
【図３】  別仕立のツバＢの平面図である。
【図４】  Ｂの側面図である。
【図５】  ＡにＢを（１２）のボタンに付けて組み合わせタレを下げた図である。
【図６】  ＡにＢを（１１）のボタンに付けて組み合わせタレを上げて後ろで左右のリボンをひと結びして垂らした図である。
【図７】  ＡにＢを（１２）のボタンに付けて組み合わせタレを下げてリボンを首の前で結んだ図である。
【図８】  ＡにＢを（１２）のボタンに付けて組み合わせタレを上げてリボン交叉して前にもってゆき結んだ図である。
【図９】  ＡにＢを（１２）のボタンに付けて組み合わせタレを下げてリボンを後ろで結んだ型のやや斜めから見た図である。
【図１０】  ＡにＢを（１１）のボタンに付けて組み合わせタレを上げてリボンを後ろで結んだ型のやや斜めから見た図である。
【図１１】  Ａのみをタレを下げてリボンを首の前で結んだ図である。
【図１２】  Ａのみをタレを上げてリボンを交叉し前にもってゆき結んだ図である。
【図１３】  Ａのみをタレを下げてリボンを後ろで結んだ図である。
【図１４】  Ａのみをタレを上げてリボンを後ろで結んだ図である。
【図１５】  Ａのみをタレを上げてリボンを後ろで交叉し前のタレ（６）も上げてその上にリボンを前で結んだ図である。
【図１６】  Ａのみをタレを上げてリボンを交叉しそれぞれ左右に分けて頭鉢に添わせたリボンに巻き付けながら前で結んだ図である。
【符号の説明】
【０００９】（１）  帽子本体Ａの前山
（２）  Ａの後ろ山で（１）から（２）まで１０ｃｍ。
（３）  Ａのリボン付け位置で（５）から５ｃｍ上の所。
（４）  ＡとＢの重ね位置で（３）と（５）の中間、このすぐ下にマジックテープが付く。
（５）  Ａの前山（１）からの縫い止め位置で底辺から５ｃｍ上の所。
（６）  Ａの前タレ。
（７）  Ａの後ろタレ。
（８）  Ａの後ろ山（２）からの縫い止まり位置で底辺から１５ｃｍ上の所。
（９）  Ａの丸型ステッチ通気孔で直径０．５ｃｍとし位置は限定しない。
（１０）  Ａの直線型ステッチ通気孔で３．５ｃｍとし位置は限定しない。
（１１）  Ａの上のボタン付け位置で中心線上で底辺より１２ｃｍ上の所。
（１２）  Ａの下のボタン付け位置で中心線よりやや後ろで底辺より５ｃｍ上の所。
（１３）  Ａの後ろタレのリボン付け位置で後ろタレの外線と底辺から５ｃｍ中に入った所。
（１４）  別仕立のツバＢのツバ前中心点。
（１５）  Ｂの（１４）から５ｃｍの点で前ツバの中心線上。
（１６）  Ｂの（１４）から８．５ｃｍの点で前ツバの中心線上。
（１７）  Ｂの内中心点で前ツバの中心線上。
（１８）  Ｂの（１５）の右側水直線点で前ツバの外周り点。
（１９）  Ｂの（１６）の右側水直線点で前ツバの外周り点。
（２０）  Ｂの（１７）の右側水直線点で前ツバの外周り点。
（２１）  Ｂの（１５）の左側水直線点で前ツバの外周り点。
（２２）  Ｂの（１６）の左側水直線点で前ツバの外周り点。
（２３）  Ｂの（１７）の左側水直線点で前ツバの外周り点。
（２４）  Ｂの右側ベルト先。
（２５）  Ｂの左側ベルト先。
（２６）  Ｂの右側ボタンホールで（２４）から３ｃｍ入った所。
（２７）  Ｂの左側ボタンホールで（２５）から３ｃｍ入った所で（２６）と共にサイズはボタンに合わせる。
（２８）  Ｂの前ツバ（１４）から２ｃｍ右の点。
（２９）  Ｂの前ツバ（１４）から２ｃｍ左の点で（２８）から（２９）まで４ｃｍ。
（３０）  Ｂの内ツバ（１７）から３ｃｍ右の点。
（３１）  Ｂの内ツバ（１７）から３ｃｍ左の点で（３０）から（３１）まで６ｃｍ。
（３２）  Ａの山（１）と（２）の中心点。
（３３）  Ａの底辺の中心点。
（３４）  Ａの前部の高さの１／２点。
（３５）  Ａの後部の高さの１／２点。
【図１】
0003101531.tif 000003
【図２】
0003101531.tif 000004
【図３】
0003101531.tif 000005
【図４】
0003101531.tif 000006
【図５】
0003101531.tif 000007
【図６】
0003101531.tif 000008
【図７】
0003101531.tif 000009
【図８】
0003101531.tif 000010
【図９】
0003101531.tif 000011
【図１０】
0003101531.tif 000012
【図１１】
0003101531.tif 000013
【図１２】
0003101531.tif 000014
【図１３】
0003101531.tif 000015
【図１４】
0003101531.tif 000016
【図１５】
0003101531.tif 000017
【図１６】
0003101531.tif 000018
【手続補正書】
【提出日】平成15年11月19日(2003.11.19)
【手続補正１】
【補正対象書類名】実用新案登録請求の範囲
【補正対象項目名】全文
【補正方法】変更
【補正の内容】
【実用新案登録請求の範囲】
【請求項１】
組み合わせ式婦人帽である為帽子本体とツバを分けて縫製し、共に素材は特に限定しないがキルト地、デニム地、麻などが良く帽子本体は型をとる前に１枚の生地に縦・横・斜めあるいはこれらの併用型のタックを５〜１５本位入れ１ヶ所にのみレースを任意に施し加工してから裁ち２つ折りにし折り山の中心線から前後に各々５ｃｍ、計１０ｃｍあけた所から縫いおろしツバ取り付け側の前部は底辺から５ｃｍ上後部は１５ｃｍ上の所で縫い止め前部に短いタレ、後部に長いタレを発生させ縫いしろはバイアステープで始末し、次に表に返し巾５〜２０ｃｍ前後のリボンの中心を短いタレの縫い止まりから５ｃｍ上の所に糸で付け左右に振り分け頭鉢に添わせながら後ろに流し後部の長いタレの底辺と外側から各々５ｃｍ中に入った所に糸で付けあとは垂らしておき短いタレには細かめに、長いタレには荒めのミシンステッチを各々底辺から３ｃｍ程カーブに添って入れ又ツバを取り付ける為の面ファスナーを前中央縫い止めの上に更にツバのベルト部取り付け用のボタンを両サイドに２コづつ、１つは帽子本体の中心線上で底辺から１２ｃｍ上に他は中心線よりやや後ろで底辺から５ｃｍ上の所に付けツバを上下に付け換え可能にし、帽子本体のサイズは中心の高さ２４ｃｍ、中心横巾２８ｃｍとし仕上がりの後全体のバランスを見て前上頭部に直径０．５ｃｍの丸型と長さ３．５ｃｍの直線型の通気孔をステッチ仕上で左右対称的に設け周囲をバイアステープ仕上の帽子本体部分と別仕立のツバは帽子本体と同質か同種の色違い等の生地を用いタック縫いや表と裏地の間に紙・ボール紙プラスチックス等は入れず２枚の生地のみを裁ち周囲をミシンで縫い合わせ更に縦型・横型・扇型等のミシンステッチを細かく巾も狭く入れ手で型を変えられ且つ固定する様硬くステッチ仕上げし両サイドのベルト部先にミシンステッチによるボタンホールを入れ周囲をバイアステープで仕上げるツバ部分であり帽子本体は単独で着用できるがツバのみの着用は不可能で帽子本体のみか帽子本体とツバの組み合わせかの２通りの着用パターンがあり組み合わせて着用するとカモノハシ風に見える変型自在多機能婦人帽。